(57)【要約】【課題】受信装置においてクロックによりデータを正しくサンプリングすることが容易な送信装置および受信装置を提供する。【解決手段】受信装置２０ｎの検出部２５において、サンプラ部２３から出力されるデータに基づいて、データ受信部２１により受信されたデータとクロック受信部２２により受信されたクロックとの間の位相差および該データの波形歪の双方または何れか一方の検出が行われる。検出信号送信部２６により、検出部２５による検出の結果を表す検出信号が送信装置１０へ送信される。送信装置１０では、制御部１５により、検出信号受信部１４により受信された検出信号に基づいて、データ送信部１１により送信されるデータとクロック送信部１２により送信されるクロックとの間の位相の調整および該データの振幅の調整の双方または何れか一方の制御が行われる。【選択図】図３
2010258671.tif 000002
【特許請求の範囲】
【請求項１】
データおよびクロックを受信装置へ送信する送信装置であって、
データを前記受信装置へ送信するデータ送信部と、
クロックを前記受信装置へ送信するクロック送信部と、
前記データ送信部により送信されたデータと前記クロック送信部により送信されたクロックとを受信した前記受信装置において検出された前記データと前記クロックとの間の位相差および前記データの波形歪の双方または何れか一方を表す検出信号を前記受信装置から受信する検出信号受信部と、
前記検出信号受信部により受信された検出信号に基づいて、前記データ送信部により送信されるデータと前記クロック送信部により送信されるクロックとの間の位相の調整、および、前記データ送信部により送信されるデータの振幅の調整、の双方または何れか一方の制御を行う制御部と、
を備えることを特徴とする送信装置。
【請求項２】
前記制御部が、前記受信装置に対して前記検出信号を送信するよう指示する検出信号送信指示データを、前記データ送信部により前記受信装置へ送信させる、ことを特徴とする請求項１に記載の送信装置。
【請求項３】
複数組の前記データ送信部および前記クロック送信部を備えることを特徴とする請求項１に記載の送信装置。
【請求項４】
複数の前記データ送信部と１つの前記クロック送信部とを備えることを特徴とする請求項１に記載の送信装置。
【請求項５】
前記制御部が、前記データ送信部により送信されるデータの振幅の調整の制御を行う際に、該データのレベル遷移後のビットのデータの振幅を選択的に調整する、ことを特徴とする請求項１に記載の送信装置。
【請求項６】
データおよびクロックを送信装置から受信する受信装置であって、
データを前記送信装置から受信するデータ受信部と、
クロックを前記送信装置から受信するクロック受信部と、
前記クロック受信部により受信されたクロックにより、前記データ受信部により受信されたデータをサンプリングして、このサンプリングにより得られたデータを出力するサンプラ部と、
前記サンプラ部から出力されるデータに基づいて、前記データ受信部により受信されたデータと前記クロック受信部により受信されたクロックとの間の位相差、および、前記データ受信部により受信されたデータの波形歪、の双方または何れか一方の検出を行う検出部と、
前記検出部による検出の結果を表す検出信号を前記送信装置へ送信する検出信号送信部と、
を備えることを特徴とする受信装置。
【請求項７】
前記データ受信部が、前記検出信号を送信するよう指示する検出信号送信指示データを前記送信装置から受信し、
前記検出信号送信部が、前記データ受信部が前記検出信号送信指示データを受信したことを受けて、前記検出信号を前記送信装置へ送信する、
ことを特徴とする請求項６に記載の受信装置。
【請求項８】
前記サンプラ部が、前記データ受信部により受信されたデータのうちビット遷移の際のデータをもサンプリングして出力し、
前記検出部が、前記サンプラ部によりサンプリングされて出力されたビット遷移の際のデータに基づいて、前記位相差および前記波形歪の双方または何れか一方の検出を行う、
ことを特徴とする請求項６に記載の受信装置。
【請求項９】
請求項１に記載の送信装置と請求項６に記載の受信装置とを備え、
前記受信装置のデータ受信部が、前記送信装置のデータ送信部により送信されるデータを受信し、
前記受信装置のクロック受信部が、前記送信装置のクロック送信部により送信されるクロックを受信し、
前記送信装置の検出信号受信部が、前記受信装置の検出信号送信部により送信される検出信号を受信する、
ことを特徴とする送受信システム。
【請求項１０】
請求項２に記載の送信装置と請求項７に記載の受信装置とを備え、
前記受信装置のデータ受信部が、前記送信装置のデータ送信部により送信されるデータおよび検出信号送信指示データを受信し、
前記受信装置のクロック受信部が、前記送信装置のクロック送信部により送信されるクロックを受信し、
前記送信装置の検出信号受信部が、前記受信装置の検出信号送信部により送信される検出信号を受信する、
ことを特徴とする送受信システム。
【請求項１１】
前記送信装置が複数のデータ送信部を含み、
前記送信装置に含まれる複数のデータ送信部と複数の受信装置とが１対１に対応していて、
前記送信装置から前記複数の受信装置それぞれへの検出信号送信指示データの送信を互いに異なるタイミングで行い、
前記複数の受信装置それぞれから前記送信装置への検出信号の送信を互いに異なるタイミングで行う、
ことを特徴とする請求項１０記載の送受信システム。
【請求項１２】
請求項３に記載の送信装置と請求項６に記載の複数の受信装置とを備え、
前記送信装置に含まれる複数のデータ送信部と前記複数の受信装置とが１対１に対応していて、
前記複数の受信装置それぞれのデータ受信部が、前記送信装置に含まれる対応するデータ送信部により送信されるデータを受信し、
前記複数の受信装置それぞれのクロック受信部が、前記送信装置に含まれる対応するクロック送信部により送信されるクロックを受信し、
前記送信装置の検出信号受信部が、前記複数の受信装置それぞれの検出信号送信部により送信される検出信号を受信する、
ことを特徴とする送受信システム。
【請求項１３】
請求項４に記載の送信装置と請求項６に記載の複数の受信装置とを備え、
前記送信装置に含まれる複数のデータ送信部と前記複数の受信装置とが１対１に対応していて、
前記複数の受信装置それぞれのデータ受信部が、前記送信装置に含まれる対応するデータ送信部により送信されるデータを受信し、
前記複数の受信装置それぞれのクロック受信部が、前記送信装置のクロック送信部により送信されるクロックを受信し、
前記送信装置の検出信号受信部が、前記複数の受信装置それぞれの検出信号送信部により送信される検出信号を受信する、
ことを特徴とする送受信システム。
【請求項１４】
前記送信装置の検出信号受信部が、前記複数の受信装置それぞれの検出信号送信部により送信される検出信号を、共通の信号線を介して受信する、ことを特徴とする請求項１１〜１３の何れか１項に記載の送受信システム。
【請求項１５】
請求項１１〜１４の何れか１項に記載の送受信システムと、
前記送受信システムに含まれる複数の受信装置それぞれにより受信されたデータに基づいて画像を表示する画像表示部と、
を備えることを特徴とする画像表示システム。
【発明の詳細な説明】
【技術分野】
【０００１】
本発明は、送信装置、受信装置、送受信システムおよび画像表示システムに関するものである。
【背景技術】
【０００２】
液晶表示システム等の画像表示システムは、送信装置，受信装置および画像表示部を備え、外部から画像信号を入力した送信装置から画像データおよびクロックを受信装置へ送信し、受信装置においてクロックにより画像データをサンプリングし、このサンプリングにより得られた画像データを信号線へ送出して、この信号線へ送出された画像データに基づいて画像表示部において画像を表示する。このような液晶表示システム等の画像表示システムでは、一般的に、前述の送信装置又はこれを含む装置は「タイミングコントローラ」と呼ばれ、前述の受信装置又はこれを含む装置は「ドライバ」と呼ばれる。
【０００３】
このような画像表示システムにおいて、受信装置においてクロックにより画像データを正しくサンプリングすることは重要である。しかし、受信装置に到達したデータとクロックとの間の位相差（スキュー）が大きい場合や、受信装置に到達したデータの波形劣化が大きい場合には、データを正しくサンプリングすることができない場合がある。
【０００４】
特許文献１には、上記スキューの問題を解消することを意図した発明が開示されている。この文献に開示された発明は、送信装置において、上記スキューの情報を予め記憶しておき、データおよびクロックを送信する際に両者間に所定の位相差を上記スキュー情報に基づいて与えて、受信装置におけるデータとクロックとの間のスキューを小さくしようとするものである。
【先行技術文献】
【特許文献】
【０００５】
【特許文献１】特開２００５−３３８７２７号公報
【発明の概要】
【発明が解決しようとする課題】
【０００６】
しかし、特許文献１に開示された発明では、画像表示システム毎に受信装置におけるスキューを送信装置において予め記憶しておく必要があることから、スキューの測定や記憶を行うのに手間や時間を要する。また、スキューが温度等の環境変化により変わることもあるため、前述のように手間や時間を要して記憶したスキューでは、データを正しくサンプリングすることができなくなる場合がある。また、特許文献１に開示された発明では、スキューの問題を解消することを意図するものの、受信装置におけるデータの波形劣化の問題を解消することはできない。このように、特許文献１に開示された発明では、受信装置においてクロックにより画像データを正しくサンプリングすることは容易ではない。
【０００７】
本発明は、上記問題点を解消する為になされたものであり、受信装置においてクロックによりデータを正しくサンプリングすることが容易な送信装置および受信装置を提供することを目的とする。また、このような送信装置および受信装置を備える送受信システム、ならびに、このような送信装置，受信装置および画像表示部を備える画像表示システムを提供することをも目的とする。
【課題を解決するための手段】
【０００８】
本発明に係る送信装置は、データおよびクロックを受信装置へ送信する送信装置であって、(1) データを受信装置へ送信するデータ送信部と、(2) クロックを受信装置へ送信するクロック送信部と、(3) データ送信部により送信されたデータとクロック送信部により送信されたクロックとを受信した受信装置において検出されたデータとクロックとの間の位相差およびデータの波形歪の双方または何れか一方を表す検出信号を受信装置から受信する検出信号受信部と、(4) 検出信号受信部により受信された検出信号に基づいて、データ送信部により送信されるデータとクロック送信部により送信されるクロックとの間の位相の調整、および、データ送信部により送信されるデータの振幅の調整、の双方または何れか一方の制御を行う制御部と、を備えることを特徴とする。
【０００９】
本発明に係る受信装置は、データおよびクロックを送信装置から受信する受信装置であって、(1) データを送信装置から受信するデータ受信部と、(2) クロックを送信装置から受信するクロック受信部と、(3) クロック受信部により受信されたクロックにより、データ受信部により受信されたデータをサンプリングして、このサンプリングにより得られたデータを出力するサンプラ部と、(4) サンプラ部から出力されるデータに基づいて、データ受信部により受信されたデータとクロック受信部により受信されたクロックとの間の位相差、および、データ受信部により受信されたデータの波形歪、の双方または何れか一方の検出を行う検出部と、(5) 検出部による検出の結果を表す検出信号を送信装置へ送信する検出信号送信部と、を備えることを特徴とする。
【００１０】
本発明に係る送受信システムは、(1) 上記の本発明に係る送信装置と上記の本発明に係る受信装置とを備え、(2) 受信装置のデータ受信部が、送信装置のデータ送信部により送信されるデータを受信し、(3) 受信装置のクロック受信部が、送信装置のクロック送信部により送信されるクロックを受信し、(4) 送信装置の検出信号受信部が、受信装置の検出信号送信部により送信される検出信号を受信する、ことを特徴とする。
【００１１】
本発明に係る送信装置および受信装置を備える送受信システムは以下のように動作する。送信装置のデータ送信部から送信されたデータは、受信装置のデータ受信部により受信される。送信装置のクロック送信部から送信されたクロックは、受信装置のクロック受信部により受信される。受信装置のサンプラ部において、クロック受信部により受信されたクロックにより、データ受信部により受信されたデータがサンプリングされて、このサンプリングにより得られたデータが出力される。受信装置の検出部において、サンプラ部から出力されるデータに基づいて、データ受信部により受信されたデータとクロック受信部により受信されたクロックとの間の位相差、および、データ受信部により受信されたデータの波形歪、の双方または何れか一方の検出が行われる。受信装置の検出信号送信部により、検出部による検出の結果を表す検出信号が送信装置へ送信される。受信装置から送信装置へ送信された検出信号は、送信装置の検出信号受信部により受信される。送信装置では、制御部により、検出信号受信部により受信された検出信号に基づいて、データ送信部により送信されるデータとクロック送信部により送信されるクロックとの間の位相の調整、および、データ送信部により送信されるデータの振幅の調整、の双方または何れか一方の制御が行われる。このようにして送信装置における制御部により位相または振幅が調整されることにより、受信装置においてクロックによりデータを正しくサンプリングすることが容易となる。
【００１２】
本発明に係る送信装置では、制御部が、受信装置に対して検出信号を送信するよう指示する検出信号送信指示データを、データ送信部により受信装置へ送信させるのが好適である。本発明に係る受信装置では、(1) データ受信部が、検出信号を送信するよう指示する検出信号送信指示データを送信装置から受信し、(2) 検出信号送信部が、データ受信部が検出信号送信指示データを受信したことを受けて、検出信号を送信装置へ送信するのが好適である。また、本発明に係る送受信システムは、(1) これらの送信装置と受信装置とを備え、(2) 受信装置のデータ受信部が、送信装置のデータ送信部により送信されるデータおよび検出信号送信指示データを受信し、(3) 受信装置のクロック受信部が、送信装置のクロック送信部により送信されるクロックを受信し、(4) 送信装置の検出信号受信部が、受信装置の検出信号送信部により送信される検出信号を受信するのが好適である。この場合には、送信装置では、制御部による制御により、受信装置に対して検出信号を送信するよう指示する検出信号送信指示データがデータ送信部から送信される。受信装置では、この検出信号送信指示データがデータ受信部により受信され、これを受けて検出信号送信部により検出信号が送信装置へ送信される。また、本発明に係る送受信システムは、送信装置が複数のデータ送信部を含み、送信装置に含まれる複数のデータ送信部と複数の受信装置とが１対１に対応していて、送信装置から複数の受信装置それぞれへの検出信号送信指示データの送信を互いに異なるタイミングで行い、複数の受信装置それぞれから送信装置への検出信号の送信を互いに異なるタイミングで行うのが好適である。
【００１３】
本発明に係る送信装置では、複数組のデータ送信部およびクロック送信部を備えるのが好適である。また、本発明に係る送受信システムは、(1) この送信装置と複数の受信装置とを備え、(2) 送信装置に含まれる複数のデータ送信部と複数の受信装置とが１対１に対応していて、(3) 複数の受信装置それぞれのデータ受信部が、送信装置に含まれる対応するデータ送信部により送信されるデータを受信し、(4) 複数の受信装置それぞれのクロック受信部が、送信装置に含まれる対応するクロック送信部により送信されるクロックを受信し、(5) 送信装置の検出信号受信部が、複数の受信装置それぞれの検出信号送信部により送信される検出信号を受信するのが好適である。
【００１４】
本発明に係る送信装置では、複数のデータ送信部と１つのクロック送信部とを備えるのが好適である。また、本発明に係る送受信システムは、(1) この送信装置と複数の受信装置とを備え、(2) 送信装置に含まれる複数のデータ送信部と複数の受信装置とが１対１に対応していて、(3) 複数の受信装置それぞれのデータ受信部が、送信装置に含まれる対応するデータ送信部により送信されるデータを受信し、(4) 複数の受信装置それぞれのクロック受信部が、送信装置のクロック送信部により送信されるクロックを受信し、(5) 送信装置の検出信号受信部が、複数の受信装置それぞれの検出信号送信部により送信される検出信号を受信するのが好適である。
【００１５】
本発明に係る送信装置では、制御部が、データ送信部により送信されるデータの振幅の調整の制御を行う際に、該データのレベル遷移後のビットのデータの振幅を選択的に調整するのが好適である。
【００１６】
本発明に係る受信装置では、サンプラ部が、データ受信部により受信されたデータのうちビット遷移の際のデータをもサンプリングして出力し、検出部が、サンプラ部によりサンプリングされて出力されたビット遷移の際のデータに基づいて、位相差および波形歪の双方または何れか一方の検出を行うのが好適である。
【００１７】
本発明に係る送受信システムは、送信装置の検出信号受信部が、複数の受信装置それぞれの検出信号送信部により送信される検出信号を、共通の信号線を介して受信するのが好適である。
【００１８】
本発明に係る画像表示システムは、上記の本発明に係る送受信システムと、送受信システムに含まれる複数の受信装置それぞれにより受信されたデータに基づいて画像を表示する画像表示部と、を備えることを特徴とする。
【発明の効果】
【００１９】
本発明によれば、受信装置においてクロックによりデータを正しくサンプリングすることが容易となる。
【図面の簡単な説明】
【００２０】
【図１】本実施形態に係る画像表示システム１の概略構成を示す図である。
【図２】本実施形態に係る送信装置１０およびＮ個の受信装置２０１〜２０Ｎを備える送受信システムの概略構成を示す図である。
【図３】本実施形態に係る送信装置１０および受信装置２０ｎの構成を示す図である。
【図４】本実施形態に係る受信装置２０ｎのサンプラ部２３の第１構成例の構成を示す図である。
【図５】本実施形態に係る受信装置２０ｎのサンプラ部２３の第１構成例の動作を説明する図である。
【図６】本実施形態に係る受信装置２０ｎのサンプラ部２３の第２構成例の構成を示す図である。
【図７】本実施形態に係る受信装置２０ｎのサンプラ部２３の第２構成例の動作を説明する図である。
【図８】本実施形態に係る受信装置２０ｎの検出部２５の第１構成例の構成を示す図である。
【図９】本実施形態に係る受信装置２０ｎの検出部２５の第１構成例の動作を説明する図である。
【図１０】本実施形態に係る受信装置２０ｎの検出部２５の第１構成例の動作を説明する図表である。
【図１１】本実施形態に係る受信装置２０ｎの検出部２５の第１構成例の動作を説明するフローチャートである。
【図１２】本実施形態に係る受信装置２０ｎの検出部２５の第２構成例の構成を示す図である。
【図１３】本実施形態に係る受信装置２０ｎの検出部２５の第２構成例の動作を説明する図である。
【図１４】本実施形態に係る受信装置２０ｎの検出部２５の第２構成例の動作を説明する図表である。
【図１５】本実施形態に係る受信装置２０ｎの検出部２５の第２構成例の動作を説明するフローチャートである。
【図１６】本実施形態に係る送信装置１０と受信装置２０ｎとの間の検出信号送信指示データおよび検出信号の送受信のタイミングを説明する図である。
【図１７】本実施形態に係る送信装置１０における制御部１５によるデータの位相および振幅の第１調整例を説明するフローチャートである。
【図１８】本実施形態に係る送信装置１０における制御部１５によるデータの位相および振幅の第２調整例を説明するフローチャートである。
【図１９】本実施形態に係る送信装置１０におけるデータ送信部１１の位相シフト部１１３の構成を示す図である。
【図２０】本実施形態に係る送信装置１０におけるデータ送信部１１の位相シフト部１１３の動作を説明する図である。
【図２１】本実施形態に係る送信装置１０におけるデータ送信部１１のバッファ１１１による振幅調整を説明する波形図である。
【図２２】変形例の送信装置１０Ａの概略構成を示す図である。
【発明を実施するための形態】
【００２１】
以下、添付図面を参照して、本発明を実施するための形態を詳細に説明する。なお、図面の説明において同一の要素には同一の符号を付し、重複する説明を省略する。
【００２２】
図１は、本実施形態に係る画像表示システム１の概略構成を示す図である。この図に示される画像表示システム１は、送信装置１０，Ｎ個の受信装置２０１〜２０Ｎおよび画像表示部３０を備える。ここで、Ｎは２以上の整数であり、以下に登場するｎは１以上Ｎ以下の各整数である。この図では、画像表示部３０における画像の垂直走査のための駆動部および信号線は図示が省略されている。
【００２３】
送信装置１０は、外部から画像信号を入力して、Ｎ個の受信装置２０１〜２０Ｎそれぞれへ画像データおよびクロックを送信する。各受信装置２０ｎは、送信装置１０から送出されて到達した画像データおよびクロックを受信し、クロックにより画像データをサンプリングして、このサンプリングにより得られた画像データを画像表示部３０の信号線３１ｎへ送出する。画像表示部３０は、例えば液晶パネルであり、各受信装置２０ｎにより信号線３１ｎに供給された画像データに基づいて画像を表示する。信号線３１ｎは１以上の複数本でも良い。
【００２４】
図２は、本実施形態に係る送信装置１０およびＮ個の受信装置２０１〜２０Ｎを備える送受信システムの概略構成を示す図である。送信装置１０は、検出信号受信部１４，制御部１５，クロック生成部１６およびＮ個の送信部１９１〜１９Ｎを備える。各送信部１９ｎは、１組のデータ送信部およびクロック送信部を含む。Ｎ個の送信部１９１〜１９Ｎは共通の構成を有している。Ｎ個の受信装置２０１〜２０Ｎは共通の構成を有している。送信部１９ｎと受信装置２０ｎとは１対１に対応している。
【００２５】
送信装置１０の送信部１９ｎは、データおよびクロックを受信装置２０ｎへ送信する。受信装置２０ｎは、送信部１９ｎから送られて来たデータおよびクロックを受信し、このクロックによりデータをサンプリングして、このサンプリングにより得られたデータを出力する。また、受信装置２０ｎは、受信したデータとクロックとの間の位相差およびデータの波形歪の双方または何れか一方を検出して、その検出の結果を表す検出信号を送信装置１０へ送出する。
【００２６】
送信装置１０の検出信号受信部１４は、各受信装置２０ｎから送られて来た検出信号を受信する。制御部１５は、検出信号受信部１４により受信された検出信号に基づいて、送信部１９ｎにより送信されるデータとクロックとの間の位相の調整および該データの振幅の調整の双方または何れか一方の制御を行う。クロック生成部１６は、送信装置１０の各送信部１９ｎがデータおよびクロックを送出する際の基準となるタイミングを指示する基準クロックを生成して、このクロックを各送信部１９ｎに与える。
【００２７】
なお、送信装置１０の送信部１９ｎと受信装置２０ｎとの間のデータおよびクロックの各信号線、および、送信装置１０の検出信号受信部１４と受信装置２０ｎとの間の検出信号の信号線は、物理的に１本の線であってもよいし、小振幅差動信号方式（ＬＶＤＳ: Low-Voltage Differential Signaling）のように差動データを伝送する１対の線であってもよい。
【００２８】
図３は、本実施形態に係る送信装置１０および受信装置２０ｎの構成を示す図である。この図は、送信装置１０に含まれるＮ個の送信部１９１〜１９Ｎのうちの第ｎの送信部１９ｎの構成、および、この送信部１９ｎに対応する受信装置２０ｎの構成を詳細に示すものである。
【００２９】
送信部１９ｎは、データ送信部１１，クロック送信部１２およびエンコーダ部１３を含む。エンコーダ部１３は、受信装置２０ｎへ送信すべきクロックを制御する信号をクロック送信部１２へ与えるとともに、受信装置２０ｎへ送信すべきクロックをクロック送信部１２へ与える。
【００３０】
データ送信部１１は、データを受信装置２０ｎへ送信するものであって、バッファ１１１，フリップフロップ１１２および位相シフト部１１３を含む。位相シフト部１１３は、クロック生成部１６から出力される基準クロックを入力し、制御部１５により指示される位相シフト量だけ基準クロックの位相を変化させてフリップフロップ１１２へ出力する。フリップフロップ１１２は、エンコーダ部１３から出力されるデータを、位相シフト部１１３から出力されるクロックにより指示されるタイミングでラッチし、そのラッチしたデータをバッファ１１１へ出力する。バッファ１１１は、フリップフロップ１１２から出力されるデータを、制御部１５により指示される振幅で受信装置２０ｎへ送信する。
【００３１】
クロック送信部１２は、クロックを受信装置２０ｎへ送信するものであって、バッファ１２１およびフリップフロップ１２２を含む。フリップフロップ１２２は、エンコーダ部１３から出力されるクロックを、クロック生成部１６から出力される基準クロックにより指示されるタイミングでラッチし、そのラッチしたデータをバッファ１２１へ出力する。バッファ１２１は、フリップフロップ１１２から出力されるデータを受信装置２０ｎへ送信する。
【００３２】
検出信号受信部１４は、受信装置２０ｎから送られて来た検出信号を受信する。検出信号受信部１４が受信する検出信号は、データ送信部１１により送信されたデータとクロック送信部１２により送信されたクロックとを受信した受信装置２０ｎにおいて検出されたデータとクロックとの間の位相差およびデータの波形歪の双方または何れか一方を表す。
【００３３】
制御部１５は、検出信号受信部１４により受信された検出信号に基づいて、データ送信部１１の位相シフト部１１３における基準クロックの位相シフト量を制御することにより、データ送信部１１により送信されるデータとクロック送信部１２により送信されるクロックとの間の位相を調整する。また、制御部１５は、データ送信部１１のバッファ１１１における出力振幅を制御することにより、データ送信部１１により送信されるデータの振幅を調整する。さらに、制御部１５は、受信装置２０ｎに対して検出信号を送信するよう指示する検出信号送信指示データを、エンコーダ部１３から出力させて、データ送信部１１により受信装置２０ｎへ送信させるのが好適である。
【００３４】
受信装置２０ｎは、データ受信部２１，クロック受信部２２，サンプラ部２３，デコーダ部２４，検出部２５および検出信号送信部２６を含む。データ受信部２１は、送信装置１０のデータ送信部１１から送出されたデータを受信する。クロック受信部２２は、送信装置１０のクロック送信部１２から送出されたクロックを受信する。
【００３５】
サンプラ部２３は、クロック受信部２２により受信されたクロックにより、データ受信部２１により受信されたデータをサンプリングして、このサンプリングにより得られたデータをデコーダ部２４および検出部２５へ出力する。デコーダ部２４は、サンプラ部２３から出力されるデータを信号線３１ｎへ送出する。
【００３６】
検出部２５は、サンプラ部２３から出力されるデータに基づいて、データ受信部２１により受信されたデータとクロック受信部２２により受信されたクロックとの間の位相差、および、データ受信部２１により受信されたデータの波形歪、の双方または何れか一方の検出を行う。検出信号送信部２６は、検出部２５による検出の結果を表す検出信号を送信装置１０の検出信号受信部１４へ送信する。
【００３７】
検出信号を送信するよう指示する検出信号送信指示データを送信装置１０のデータ送信部１１が受信装置２０ｎへ送信したときに、デコーダ部２４は、データ受信部２２により受信されサンプラ部２３によりサンプリングされたデータが検出信号送信指示データであることを判定し、検出信号送信部２６は、そのデコーダ部２４における当該判定を受けて検出信号を送信する。なお、検出信号は、検出信号送信指示データを判定した後で開始した検出の結果に基づいたものでもよいし、事前に検出した結果に基づいたものでもかまわない。
【００３８】
以上のように構成される本実施形態に係る送受信システムは以下のように動作する。送信装置１０のデータ送信部１１から送信されたデータは、受信装置２０ｎのデータ受信部２１により受信される。送信装置１０のクロック送信部１２から送信されたクロックは、受信装置２０ｎのクロック受信部２２により受信される。受信装置２０ｎのサンプラ部２３において、クロック受信部２２により受信されたクロックにより、データ受信部２１により受信されたデータがサンプリングされて、このサンプリングにより得られたデータが出力される。このデータは、デコーダ部２４を経て信号線３１ｎへ送出され、画像表示部３０において画像表示に用いられる。
【００３９】
受信装置２０ｎの検出部２５において、サンプラ部２３から出力されるデータに基づいて、データ受信部２１により受信されたデータとクロック受信部２２により受信されたクロックとの間の位相差、および、データ受信部２１により受信されたデータの波形歪、の双方または何れか一方の検出が行われる。受信装置２０ｎの検出信号送信部２６により、検出部２５による検出の結果を表す検出信号が送信装置１０へ送信される。受信装置２０ｎから送信装置１０へ送信された検出信号は、送信装置１０の検出信号受信部１４により受信される。
【００４０】
送信装置１０では、制御部１５により、検出信号受信部１４により受信された検出信号に基づいて、データ送信部１１により送信されるデータとクロック送信部１２により送信されるクロックとの間の位相の調整、および、データ送信部１１により送信されるデータの振幅の調整、の双方または何れか一方の制御が行われる。このようにして送信装置１０における制御部１５により位相または振幅が調整されることにより、受信装置に２０ｎおいてクロックによりデータを正しくサンプリングすることが容易となる。
【００４１】
また、検出信号を送信するよう指示する検出信号送信指示データが送信装置１０から受信装置２０ｎへ送られる場合には、受信装置２０ｎでは、この検出信号送信指示データがデータ受信部２１により受信され、これを受けて検出信号送信部２５により検出信号が送信装置１０へ送信される。図３においては位相シフトさせたクロックをデータ送信部用clockに入力しているが、データとクロックとの位相を変化させられるのであれば、データ送信部１１には位相シフトさせていないクロックを入力し、クロック送信部１２に位相シフトさせたクロックを入力しても良い。また、データとクロックとの位相を変化させることが目的であるので、クロック生成部１６にて複数フェーズのクロックを生成し、位相シフト回路に相当する部分において前記複数フェーズのクロックから適当なクロックを選択することも可能である。
【００４２】
次に、図４および図５を用いて、本実施形態に係る受信装置２０ｎのサンプラ部２３の第１構成例について説明する。図４は、本実施形態に係る受信装置２０ｎのサンプラ部２３の第１構成例の構成を示す図である。図５は、本実施形態に係る受信装置２０ｎのサンプラ部２３の第１構成例の動作を説明する図である。
【００４３】
この第１構成例のサンプラ部２３は、フリップフロップ２３１およびフリップフロップ２３２を含む。第１構成例のサンプラ部２３では、送信装置１０のクロック送信部１２から送出されて受信装置２０ｎのクロック受信部２２により受信されるクロックの周波数は、送信装置１０のデータ送信部１１から送出されて受信装置２０ｎのデータ受信部２１により受信されるデータのビットレートと同じとなる。つまり、例えば１０Ｇｂｐｓのビットレートであれば、クロック周波数は１０ＧＨｚとなる。
【００４４】
第１構成例のサンプラ部２３では、フリップフロップ２３１は、データ受信部２１から出力されるデータを、クロック受信部２２から出力されるクロックの立上りエッジで指示されるタイミングでラッチし、そのラッチしたデータＤをデコーダ部２４および検出部２５へ出力する。このデータＤは、送信装置１０のデータ送信部１１から送出されて受信装置２０ｎのデータ受信部２１により受信されるデータの各ビットの値を表す。
【００４５】
フリップフロップ２３２は、データ受信部２１から出力されるデータを、クロック受信部２２から出力されるクロックの立下りエッジで指示されるタイミングでラッチし、そのラッチしたデータＸＤを検出部２５へ出力する。このデータＸＤは、送信装置１０のデータ送信部１１から送出されて受信装置２０ｎのデータ受信部２１により受信されるデータのビット遷移の際の値を表す。
【００４６】
次に、図６および図７を用いて、本実施形態に係る受信装置２０ｎのサンプラ部２３の第２構成例について説明する。図６は、本実施形態に係る受信装置２０ｎのサンプラ部２３の第２構成例の構成を示す図である。図７は、本実施形態に係る受信装置２０ｎのサンプラ部２３の第２構成例の動作を説明する図である。
【００４７】
この第２構成例のサンプラ部２３は、フリップフロップ２３１〜２３４および２相クロック生成部２３５を含む。第２構成例のサンプラ部２３では、送信装置１０のクロック送信部１２から送出されて受信装置２０ｎのクロック受信部２２により受信されるクロックの周波数は、送信装置１０のデータ送信部１１から送出されて受信装置２０ｎのデータ受信部２１により受信されるデータのビットレートと同じとされる。
【００４８】
第２構成例のサンプラ部２３では、２相クロック生成部２３５は、クロック受信部２２から出力されるクロックを入力して、このクロックに基づいて二相クロックＣＬＫ１，ＣＬＫ２を生成する。
【００４９】
フリップフロップ２３１は、データ受信部２１から出力されるデータを、二相クロック生成部２３５から出力される第１クロックＣＬＫ１の立上りエッジで指示されるタイミングでラッチし、そのラッチしたデータＤをデコーダ部２４および検出部２５へ出力する。フリップフロップ２３２は、データ受信部２１から出力されるデータを、二相クロック生成部２３５から出力される第１クロックＣＬＫ１の立下りエッジで指示されるタイミングでラッチし、そのラッチしたデータＤをデコーダ部２４および検出部２５へ出力する。これらのデータＤは、送信装置１０のデータ送信部１１から送出されて受信装置２０ｎのデータ受信部２１により受信されるデータの各ビットの値を表す。
【００５０】
フリップフロップ２３３は、データ受信部２１から出力されるデータを、二相クロック生成部２３５から出力される第２クロックＣＬＫ２の立上りエッジで指示されるタイミングでラッチし、そのラッチしたデータＤを検出部２５へ出力する。フリップフロップ２３４は、データ受信部２１から出力されるデータを、二相クロック生成部２３５から出力される第２クロックＣＬＫ２の立下りエッジで指示されるタイミングでラッチし、そのラッチしたデータＤを検出部２５へ出力する。これらのデータＸＤは、送信装置１０のデータ送信部１１から送出されて受信装置２０ｎのデータ受信部２１により受信されるデータのビット遷移の際の値を表す。
【００５１】
以上に説明した第１構成例および第２構成例の何れにおいても、サンプラ部２３は、送信装置１０のデータ送信部１１から送出されて受信装置２０ｎのデータ受信部２１により受信されるデータの各ビットのデータＤ、および、そのデータのビット遷移の際のデータＸＤを出力する。デコーダ部２４は、サンプラ部２３から出力されるデータＤを入力する。検出部２５は、サンプラ部２３から出力されるデータＤおよびデータＸＤを入力して、これらのデータに基づいて、データ受信部２１により受信されたデータとクロック受信部２２により受信されたクロックとの間の位相差、および、データ受信部２１により受信されたデータの波形歪、の双方または何れか一方の検出を行う。
【００５２】
次に、図８〜図１１を用いて、本実施形態に係る受信装置２０ｎの検出部２５の第１構成例について説明する。図８は、本実施形態に係る受信装置２０ｎの検出部２５の第１構成例の構成を示す図である。図９は、本実施形態に係る受信装置２０ｎの検出部２５の第１構成例の動作を説明する図である。図１０は、本実施形態に係る受信装置２０ｎの検出部２５の第１構成例の動作を説明する図表である。また、図１１は、本実施形態に係る受信装置２０ｎの検出部２５の第１構成例の動作を説明するフローチャートである。
【００５３】
第１構成例の検出部２５は、サンプラ部２３から出力されるデータＤ，ＸＤに基づいて、データ受信部２１により受信されたデータとクロック受信部２２により受信されたクロックとの間の位相差の検出を行う。この検出部２５は、フリップフロップ２５１，２５２，２５４，２５５、位相検出部２５６および位相判断部２５７を含む。
【００５４】
フリップフロップ２５１，２５２は縦続接続されていてシフトレジスタを構成している。初段のフリップフロップ２５１は、サンプラ部２３から出力されるデータＤを入力する。フリップフロップ２５４，２５５は縦続接続されていてシフトレジスタを構成している。初段のフリップフロップ２５４は、サンプラ部２３から出力されるデータＸＤを入力する。
【００５５】
位相検出部２５６は、フリップフロップ２５１，２５２，２５５それぞれでラッチされたデータを入力する。すなわち、位相検出部２５６は、図９に示されるように、或るビットの値Ｄ１、その次のビットの値Ｄ２、および、これら２つのビットＤ１，Ｄ２の遷移の際の値ＸＤを入力する。また、位相検出部２５６は、これらデータＤ１，ＸＤ，Ｄ２をクロック周期毎に入力する。
【００５６】
位相検出部２５６は、図１０に示されるように、入力したデータＤ１，ＸＤ，Ｄ２に基づいて、クロック周期毎に、これら２つのビットの間にデータ遷移があるか否か（Edge）、受信したクロックの位相が速いか否か（Early）、受信したクロックの位相が遅いか否か（Late）、および、受信したクロックの周波数とデータのビットレートとがアンロックの状態であるか否か（Unlock）、を検出する。
【００５７】
すなわち、位相検出部２５６は、２つのビットの間にデータ遷移があるときには変数Edgeを値１とし、そうでないときには変数Edgeを値０とする。クロックの位相が速いときには変数Earlyを値１とし、そうでないときには変数Earlyを値０とする。クロックの位相が遅いときには変数Lateを値１とし、そうでないときには変数Lateを値０とする。また、アンロックの状態であるときには変数Unlockを値１とし、そうでないときには変数Unlockを値０とする。位相検出部２５６は、これらの変数Edge，Early，LateおよびUnlockの各値を位相判断部２５７へ与える。
【００５８】
位相判断部２５７は、位相検出部２５６から受け取った変数Edge，Early，LateおよびUnlockの各値に基づいて、データ受信部２１により受信されたデータとクロック受信部２２により受信されたクロックとの間の位相差の検出を行う。具体的には、位相判断部２５７は、図１１に示されるように、変数EdgeCnt，EarlyCnt，LateCntおよびUnlockCnt、ならびに、定数EdgeCntThreshold，EarlyCntThreshold，LateCntThresholdおよびUnlockCntThreshold を用いて、以下のような処理をする。
【００５９】
位相判断部２５７では、初めにステップＳ１１で、変数EdgeCnt，EarlyCnt，LateCntおよびUnlockCntそれぞれの値が初期化され、その後、ステップＳ１２で、クロック周期毎に、変数Edgeの値が変数EdgeCntに累積加算され、変数Earlyの値が変数EarlyCntに累積加算され、変数Lateの値が変数LateCntに累積加算され、また、変数Unlockの値が変数UnlockCntに累積加算される。
【００６０】
ステップＳ１３で、変数UnlockCntの値が定数UnlockCntThreshold以上であるか否かが判断され、もし、そうであれば、クロック周波数とデータのビットレートとがアンロックの状態であると判断される（Unlock）。
【００６１】
ステップＳ１３で変数UnlockCntの値が定数UnlockCntThreshold未満であると判断された場合には、ステップＳ１４で、変数EdgeCntの値が定数EdgeCntThreshold以上であるか否かが判断される。ステップＳ１４で変数EdgeCntの値が定数EdgeCntThreshold未満であると判断された場合には、ステップＳ１２へ戻る。
【００６２】
ステップＳ１４で変数EdgeCntの値が定数EdgeCntThreshold以上であると判断された場合には、ステップＳ１５で、変数LateCntの値が定数LateCntThreshold以上であるか否かが判断され、もし、そうであれば、クロックの位相が遅いと判断される（Late）。また、ステップＳ１６で、変数EarlyCntの値が定数EarlyCntThreshold以上であるか否かが判断され、もし、そうであれば、クロックの位相が速いと判断される（Early）。何れでもない場合には、位相差が許容範囲内であると判断される（Lock）。
【００６３】
位相判断部２５７は、このような判断を繰り返して、その判断結果（Late，Early，Lock，Unlock）を表す検出信号を検出信号送信部２６へ与える。検出信号送信部２６は、この検出信号を送信装置１０の検出信号受信部１４へ送信する。
【００６４】
次に、図１２〜図１５を用いて、本実施形態に係る受信装置２０ｎの検出部２５の第２構成例について説明する。図１２は、本実施形態に係る受信装置２０ｎの検出部２５の第２構成例の構成を示す図である。図１３は、本実施形態に係る受信装置２０ｎの検出部２５の第２構成例の動作を説明する図である。図１４は、本実施形態に係る受信装置２０ｎの検出部２５の第２構成例の動作を説明する図表である。また、図１５は、本実施形態に係る受信装置２０ｎの検出部２５の第２構成例の動作を説明するフローチャートである。
【００６５】
第２構成例の検出部２５は、サンプラ部２３から出力されるデータＤ，ＸＤに基づいて、データ受信部２１により受信されたデータの波形歪の検出を行う。この検出部２５は、フリップフロップ２５１〜２５５，波形歪検出部２５８および波形歪判断部２５９を含む。
【００６６】
フリップフロップ２５１〜２５３は縦続接続されていてシフトレジスタを構成している。初段のフリップフロップ２５１は、サンプラ部２３から出力されるデータＤを入力する。フリップフロップ２５４，２５５は縦続接続されていてシフトレジスタを構成している。初段のフリップフロップ２５４は、サンプラ部２３から出力されるデータＸＤを入力する。
【００６７】
波形歪検出部２５８は、フリップフロップ２５１，２５２，２５３，２５５それぞれでラッチされたデータを入力する。すなわち、波形歪検出部２５８は、図１３に示されるように、或るビットの値Ｄ０、その次のビットの値Ｄ１、更に次のビットの値Ｄ２、および、これら２つのビットＤ１，Ｄ２の遷移の際の値ＸＤを入力する。また、波形歪検出部２５８は、これらデータＤ０，Ｄ１，ＸＤ，Ｄ２をクロック周期毎に入力する。
【００６８】
波形歪検出部２５８は、図１４に示されるように、入力したデータＤ０，Ｄ１，ＸＤ，Ｄ２に基づいて、クロック周期毎に、２つのビットＤ１，Ｄ２の間にデータ遷移があるか否か（Edge）、受信したデータの高周波成分の振幅が小さいが故にデータの波形歪が大きいか否か（Underequalize）、受信したデータの高周波成分の振幅が大きいが故にデータの波形歪が大きいか否か（Overequalize）、および、受信したクロックの周波数とデータのビットレートとがアンロックの状態であるか否か（Unlock）、を検出する。
【００６９】
すなわち、波形歪検出部２５８は、２つのビットＤ１，Ｄ２の間にデータ遷移があるときには変数Edgeを値１とし、そうでないときには変数Edgeを値０とする。受信したデータの高周波成分の振幅が小さいが故にデータの波形歪が大きいときには変数Underequalizeを値１とし、そうでないときには変数Underequalizeを値０とする。受信したデータの高周波成分の振幅が大きいが故にデータの波形歪が大きいときには変数Overequalizeを値１とし、そうでないときには変数Overequalizeを値０とする。また、アンロックの状態であるときには変数Unlockを値１とし、そうでないときには変数Unlockを値０とする。波形歪検出部２５８は、これらの変数Edge，Underequalize，OverequalizeおよびUnlockの各値を波形歪判断部２５９へ与える。
【００７０】
波形歪判断部２５９は、波形歪検出部２５８から受け取った変数Edge，Underequalize，OverequalizeおよびUnlockの各値に基づいて、データ受信部２１により受信されたデータの波形歪の検出を行う。具体的には、波形歪判断部２５９は、図１５に示されるように、変数EdgeCnt，OverequalizeCntおよびUnderequalizeCnt、ならびに、定数EdgeCntThreshold，OverequalizeCntThresholdおよびUnderCntThreshold を用いて、以下のような処理をする。
【００７１】
波形歪判断部２５９では、初めにステップＳ２１で、変数EdgeCnt，OverequalizeCntおよびUnderequalizeCntそれぞれの値が初期化され、その後、ステップＳ２２で、クロック周期毎に、変数Edgeの値が変数EdgeCntに累積加算され、変数Overequalizeの値が変数OverequalizeCntに累積加算され、また、変数Underequalizeの値が変数UnderequalizeCntに累積加算される。
【００７２】
ステップＳ２３で、変数EdgeCntの値が定数EdgeCntThreshold以上であるか否かが判断される。ステップＳ２３で変数EdgeCntの値が定数EdgeCntThreshold未満であると判断された場合には、ステップＳ２２へ戻る。
【００７３】
ステップＳ２３で変数EdgeCntの値が定数EdgeCntThreshold以上であると判断された場合には、ステップＳ２４で、変数OverequalizeCntの値が定数OverequalizeCntThreshold以上であるか否かが判断され、もし、そうであれば、受信したデータの高周波成分の振幅が大きいが故にデータの波形歪が大きいと判断される（Overequalize）。また、ステップＳ２５で、変数UnderequalizeCntの値が定数UnderequalizeCntThreshold以上であるか否かが判断され、もし、そうであれば、受信したデータの高周波成分の振幅が小さいが故にデータの波形歪が大きいと判断される（Underequalize）。何れでもない場合には、受信したデータの高周波成分の振幅が許容範囲内であると判断される（Justequalize）。
【００７４】
波形歪判断部２５９は、このような判断を繰り返して、その判断結果（Overequalize，Underequalize，Justequalize）を表す検出信号を検出信号送信部２６へ与える。検出信号送信部２６は、この検出信号を送信装置１０の検出信号受信部１４へ送信する。
【００７５】
なお、検出部２５は、フリップフロップ２５１〜２５５，位相検出部２５６，位相判断部２５７，波形歪検出部２５８および波形歪判断部２５９を含んで、データ受信部２１により受信されたデータとクロック受信部２２により受信されたクロックとの間の位相差の検出、および、データ受信部２１により受信されたデータの波形歪の検出、の双方を行ってもよい。
【００７６】
次に、図１６を用いて、送信装置１０から受信装置２０ｎへのデータおよび検出信号送信指示データの送信、および、受信装置２０ｎから送信装置１０への検出信号の送信について説明する。図１６は、本実施形態に係る送信装置１０と受信装置２０ｎとの間の検出信号送信指示データおよび検出信号の送受信のタイミングを説明する図である。
【００７７】
送信装置１０の送信部１９ｎに含まれるデータ送信部１１は、制御部１５による制御の下、画像表示部３０における画像表示に用いられる通常のデータ（図中で「normal」と表記）、受信装置２０ｎにおいて位相差または波形歪の検出に用いられる校正用データ（図中で「calibration」と表記）、および、受信装置２０ｎに対して位相差または波形歪の検出および検出信号の送信を指示する検出信号送信指示データ、の各データを所定のタイミングで受信装置２０ｎへ送信する。
【００７８】
送信装置１０は、受信装置２０ｎへ、通常のデータを送信する期間とは別の期間（例えばブランキング期間）に、検出信号送信指示データを送信し、続いて校正用データを送信する。検出信号送信指示データを受信した受信装置２０ｎは、続いて受信した校正用データを用いて位相差または波形歪を検出部２５により検出し、その検出の結果を表す検出信号を送信装置１０へ送信する。このような送受信は、Ｎ個の受信装置２０１〜２０Ｎについて順次に行われる。
【００７９】
なお、受信装置２０ｎの検出部２５において位相差または波形歪を検出する際に用いられるデータは、画像表示部３０における画像表示に用いられる通常のデータであってもよい。この場合、受信装置２０ｎは、検出信号送信指示データを受信すると、それまでに検出部２５により検出された位相差または波形歪の結果を表す検出信号を送信装置１０へ送信することができる。
【００８０】
次に、図１７および図１８を用いて、送信装置１０における制御部１５によるデータの位相および振幅の調整について説明する。送信装置１０の制御部１５は、受信装置２０ｎの検出信号送信部２６から送信されて検出信号受信部１４により受信された検出信号の値を用いて、送信部１９ｎに含まれるデータ送信部１１のバッファ１１１および位相シフト部１１３に対して制御を行う。この検出信号は、受信装置２０ｎの検出部２５による位相差および波形歪の検出により得られた変数Late，Early，Lock，Unlock，Overequalize，Underequalize，Justequalizeの各値を表す。
【００８１】
図１７は、本実施形態に係る送信装置１０における制御部１５によるデータの位相および振幅の第１調整例を説明するフローチャートである。この図に示される第１調整例では、制御部１５は、変数Lockおよび変数Justequalizeの双方が有意値であるとき、すなわち、受信装置２０ｎにより受信されたデータとクロックとの位相差が許容範囲内であって該データの高周波成分の振幅が許容範囲内であるときには、受信装置２０ｎに対応する送信部１９ｎに含まれるデータ送信部１１のバッファ１１１および位相シフト部１１３に対して何ら調整を行うことなく、次の受信装置２０ｎ＋１について処理を行う。
【００８２】
制御部１５は、変数Lockおよび変数Justequalizeの何れかが有意値でないときには、以下のような制御を行う。
【００８３】
制御部１５は、変数Lateが有意値であるとき（受信装置２０ｎにより受信されたデータに対してクロックの位相が遅いとき）には、送信部１９ｎに含まれるデータ送信部１１の位相シフト部１１３に対して調整を行うことで、データに対してクロックの位相を所定量だけ早くする。
【００８４】
制御部１５は、変数Earlyが有意値であるとき（受信装置２０ｎにより受信されたデータに対してクロックの位相が早いとき）には、送信部１９ｎに含まれるデータ送信部１１の位相シフト部１１３に対して調整を行うことで、データに対してクロックの位相を所定量だけ遅くする。
【００８５】
制御部１５は、変数Lockが有意値であるとき（受信装置２０ｎにより受信されたデータとクロックとの位相差が許容範囲内であるとき）には、送信部１９ｎに含まれるデータ送信部１１の位相シフト部１１３に対して何ら調整を行わない。
【００８６】
制御部１５は、変数Unlockが有意値であるとき（受信装置２０ｎにより受信されたクロックの周波数とデータのビットレートとがアンロックの状態であるとき）には、送信部１９ｎに含まれるデータ送信部１１の位相シフト部１１３に対して調整を行うことで、クロックの位相を大きく変化させる。
【００８７】
制御部１５は、変数Unlockが有意値でないときには、変数Overequalize，UnderequalizeおよびJustequalizeの各値に応じて、更に以下のような制御を行う。
【００８８】
制御部１５は、変数Overequalizeが有意値であるとき（受信装置２０ｎにより受信されたデータの高周波成分の振幅が大きいが故に該データの波形歪が大きいとき）には、送信部１９ｎに含まれるデータ送信部１１のバッファ１１１に対して調整を行うことで、データのレベル遷移後のビットのデータの振幅を所定量だけ大きくする。
【００８９】
制御部１５は、変数Underequalizeが有意値であるとき（受信装置２０ｎにより受信されたデータの高周波成分の振幅が小さいが故に該データの波形歪が大きいとき）には、送信部１９ｎに含まれるデータ送信部１１のバッファ１１１に対して調整を行うことで、データのレベル遷移後のビットのデータの振幅を所定量だけ小さくする。
【００９０】
制御部１５は、変数Justequalizeが有意値であるとき（受信装置２０ｎにより受信されたデータの高周波成分の振幅が許容範囲内であるとき）には、送信部１９ｎに含まれるデータ送信部１１のバッファ１１１に対して何ら調整を行わない。
【００９１】
制御部１５は、以上の調整処理が終了すると、受信装置２０ｎに対して検出信号送信指示データを送信し、受信装置２０ｎから検出信号を受信して、以上の調整処理を再び行う。そして、制御部１５は、変数Lockおよび変数Justequalizeの双方が有意値となると、受信装置２０ｎについての処理を終了して、次の受信装置２０ｎ＋１について処理を行う。
【００９２】
図１８は、本実施形態に係る送信装置１０における制御部１５によるデータの位相および振幅の第２調整例を説明するフローチャートである。この図に示される第２調整例では、制御部１５は、変数Lockが有意値となる（受信装置２０ｎにより受信されたデータとクロックとの位相差が許容範囲内となる）まで、受信装置２０ｎへの検出信号送信指示データの送信、受信装置２０ｎからの検出信号の受信、ならびに、変数Late，EarlyおよびUnlockの何れが有意値であるかに応じて為される位相シフト部１１３に対する調整、を繰り返す。
【００９３】
制御部１５は、変数Lockが有意値である場合には、変数Justequalizeが有意値となる（受信装置２０ｎにより受信されたデータの高周波成分の振幅が許容範囲内となる）まで、受信装置２０ｎへの検出信号送信指示データの送信、受信装置２０ｎからの検出信号の受信、ならびに、変数OverequalizeおよびUnderequalizeの何れが有意値であるかに応じて為されるバッファ１１１に対する調整、を繰り返す。
【００９４】
第２調整例における位相シフト部１１３またはバッファ１１１に対する調整は、第１調整例の場合と同様である。そして、制御部１５は、変数Lockおよび変数Justequalizeの双方が有意値となると、受信装置２０ｎについての処理を終了して、次の受信装置２０ｎ＋１について処理を行う。
【００９５】
次に、図１９および図２０を用いて、送信装置１０におけるデータ送信部１１の位相シフト部１１３による位相調整について説明する。図１９は、本実施形態に係る送信装置１０におけるデータ送信部１１の位相シフト部１１３の構成を示す図である。図２０は、本実施形態に係る送信装置１０におけるデータ送信部１１の位相シフト部１１３の動作を説明する図である。
【００９６】
この例では、クロック生成部１６は、例えばＰＬＬ周波数シンセサイザであって、位相が所定量ずつ異なるＭ相のクロックClock_1〜Clock_Mを出力する。そして、位相シフト部１１３は、クロック生成部１６から出力されるＭ相のクロックClock_1〜Clock_Mを入力するとともに、制御部１５から出力される選択指示信号Selectをも入力して、Ｍ相のクロックClock_1〜Clock_Mのうち選択指示信号Selectにより指示されるクロックClockを選択的にフリップフロップ１１２へ出力する。これにより、送信装置１０から送出されるデータとクロックとの間の位相差が調整されて、受信装置２０ｎにより受信されるデータとクロックとの間の位相差が許容範囲内とされる。
【００９７】
次に、図２１を用いて、送信装置１０におけるデータ送信部１１のバッファ１１１による振幅調整について説明する。図２１は、本実施形態に係る送信装置１０におけるデータ送信部１１のバッファ１１１による振幅調整を説明する波形図である。この図に示されるように、バッファ１１１は、制御部１５からの指示により、送信すべきデータのレベル遷移後のビットのデータの振幅（PreEmphasisLevel）を、前ビットと同じレベルのビットのデータの振幅（Normal Level）に対して大きくする。また、バッファ１１１は、制御部１５からの指示により、送信すべきデータのレベル遷移後のビットのデータの振幅（PreEmphasisLevel）を調整する。これにより、送信装置１０から送出されるデータの高周波成分の振幅が適正値とされて、受信装置２０ｎにより受信されるデータの高周波成分の振幅が許容範囲内とされ、該データの歪が抑制される。
【００９８】
次に、図２２を用いて、本実施形態に係る送信装置１０の変形例について説明する。図２２は、変形例の送信装置１０Ａの概略構成を示す図である。以上まで説明してきた実施形態の送信装置１０は、Ｎ組（Ｎは２以上の整数）のデータ送信部１１およびクロック送信部１２を備えるものであり、各組においてクロックに対してデータの位相を調整するものであった。したがって、これらクロック送信部は共通のものとすることができる。そこで、図２２に示される変形例の送信装置１０Ａは、Ｎ個のデータ送信部１１１〜１１Ｎと、１つのクロック送信部１２とを備える。なお、この図では、エンコーダ部の図示が省略されている。
【００９９】
Ｎ個のデータ送信部１１１〜１１Ｎそれぞれは、以上まで説明してきた実施形態におけるデータ送信部１１と同様の構成を有している。データ送信部１１ｎと受信装置２０ｎとは１対１に対応している。クロック送信部１２は、以上まで説明してきた実施形態におけるクロック送信部１２と同様の構成を有している。
【０１００】
制御部１５は、受信装置２０ｎから送信されて検出信号受信部１４により受信された検出信号に基づいて、データ送信部１１ｎの位相シフト部１１３における基準クロックの位相シフト量を制御することにより、データ送信部１１ｎにより送信されるデータとクロック送信部１２により送信されるクロックとの間の位相を調整する。また、制御部１５は、データ送信部１１ｎのバッファ１１１における出力振幅を制御することにより、データ送信部１１ｎにより送信されるデータの振幅を調整する。
【０１０１】
この変形例では、送信装置１０ＡからＮ個の受信装置２０１〜２０Ｎへクロックを送信するための信号線を共通のものとすることができるので、送信装置１０ＡとＮ個の受信装置２０１〜２０Ｎとの間の信号線の本数を少なくすることができる。
【符号の説明】
【０１０２】
１…画像表示システム、１０，１０Ａ…送信装置、１１…データ送信部、１２…クロック送信部、１３…エンコーダ部、１４…検出信号受信部、１５…制御部、１６…クロック生成部、１９…送信部、２０…受信装置、２１…データ受信部、２２…クロック受信部、２３…サンプラ部、２４…デコーダ部、２５…検出部、２６…検出信号送信部、３０…画像表示部、３１…信号線。
【図１】
2010258671.tif 000003
【図２】
2010258671.tif 000004
【図３】
2010258671.tif 000005
【図４】
2010258671.tif 000006
【図５】
2010258671.tif 000007
【図６】
2010258671.tif 000008
【図７】
2010258671.tif 000009
【図８】
2010258671.tif 000010
【図９】
2010258671.tif 000011
【図１０】
2010258671.tif 000012
【図１１】
2010258671.tif 000013
【図１２】
2010258671.tif 000014
【図１３】
2010258671.tif 000015
【図１４】
2010258671.tif 000016
【図１５】
2010258671.tif 000017
【図１６】
2010258671.tif 000018
【図１７】
2010258671.tif 000019
【図１８】
2010258671.tif 000020
【図１９】
2010258671.tif 000021
【図２０】
2010258671.tif 000022
【図２１】
2010258671.tif 000023
【図２２】
2010258671.tif 000024